(57)【要約】【課題】コイン搬送路内のコインの詰まりを解除する。【解決手段】コイン選別装置１は、コイン搬送路を落下するコインの径を検出してコイン選別流路へのコインの流れを切り替える選別流路切替部５と、投入されたコインを間欠的に選別流路切替部に落下させる間欠落下レバー６と、間欠落下レバーに挟まったコインに作用して間欠落下レバー６の動きを回復させる詰まり解除機構部７を備える。【選択図】図２
2015164002.tif 000002
【特許請求の範囲】
【請求項１】
コイン投入口から下方に延びるコイン搬送路と、
前記コイン搬送路から分岐したコイン選別流路と、
前記コイン搬送路を落下するコインの径を検出して前記コイン選別流路へのコインの流れを切り替える選別流路切替部と、
投入されたコインを間欠的に前記選別流路切替部に落下させる間欠落下レバーと、
前記間欠落下レバーに挟まったコインに作用して前記間欠落下レバーの動きを回復させる詰まり解除機構部とを備えることを特徴とするコイン選別装置。
【請求項２】
前記詰まり解除機構部は、解除操作によって前記コイン搬送路に形成された開口部から前記コイン搬送路内に突出して詰まったコインを押し上げる押上片を備えることを特徴とする請求項１記載のコイン選別装置。
【請求項３】
前記押上片は、前記コイン搬送路の鉛直壁面に沿った作用面を下から上に回転させて前記コイン搬送路内に突出させることを特徴とする請求項２記載のコイン選別装置。
【請求項４】
前記詰まり解除機構部は、前記押上片を回動させる水平軸と、該水平軸に装着されたピニオンギアと、該ピニオンギアに螺合するラックギアと、該ラックギアを往復動作させるボタン操作部を備えることを特徴とする請求項２又は３に記載のコイン選別装置。
【請求項５】
請求項１〜４のいずれかに記載されたコイン選別装置を備えた遊技機。
【発明の詳細な説明】
【技術分野】
【０００１】
本発明は、遊技機などに装備されるコイン選別装置に関するものである。
【背景技術】
【０００２】
遊技機などは機内へのコインの投入を検出して動作を開始するものが知られている。ここでいうコインは、硬貨，メダル，メダル状トークンなどを含むものとする。
【０００３】
このような機器は、投入されたコインが適正なものであるか否かを検出して、適正なコインのみ機内に取り込み、不適正なコインを機外に排出するコイン選別装置を備えたものが知られている（下記特許文献１参照）。
【先行技術文献】
【特許文献】
【０００４】
【特許文献１】特開平５−２８２５１４号公報
【発明の概要】
【発明が解決しようとする課題】
【０００５】
図１は、コイン選別装置の基本構成を示している。コイン選別装置Ｊ１は、コイン投入口２から下方に延びるコイン搬送路３と、コイン搬送路３から二又に分岐したコイン選別流路４Ａ，４Ｂと、コイン搬送路３を落下するコインＣの径を検出してコイン選別流路４Ａ，４Ｂへのコインの流れを切り替える選別流路切替部５と、投入されたコインＣを間欠的に選別流路切替部５に落下させる間欠落下レバー６を備えている。
【０００６】
コイン選別流路４Ａ，４Ｂは一方（例えば４Ａ）が機内へコインＣを取り込むための流路であり、他方（例えば４Ｂ）が機外へコインＣを排出するための流路である。選別流路切替部５は、コイン搬送路３に設置されて通過するコインＣの径を検出する選別検出器５Ａと、コイン選別流路４Ａ，４ＢへのコインＣの流れを切り替える切替機構５Ｂと、選別検出器５Ａの検出信号によって切替機構５Ｂを動作させる切替制御部５Ｃを備えている。
【０００７】
また、間欠落下レバー６は、回転軸６ａの回りに回転自在に支持され、レバー復元バネ６ｂによってコイン搬送路３内に向けて付勢されている。コイン投入口２から投入されたコインＣは、コイン搬送路３内に戻る間欠落下レバー６に一旦受け止められるが、コインＣの自重がレバー復元バネ６ｂの付勢力に打ち勝つことで間欠落下レバー６を退避させてコインＣが落下する。
【０００８】
このようなコイン選別装置Ｊ１は、間欠落下レバー６がコインＣをコイン搬送路３の内面３ａに当接させて落下させる機能を有していることから、コインＣの外周面に錆や汚れが付着している場合などに、間欠落下レバー６の上端接触部Ｐ１とコイン搬送路３の内面３ａとの間、間欠落下レバー６の下端接触部Ｐ２とコイン搬送路３の内面３ａとの間のそれぞれにコインＣが挟まり、間欠落下レバー６の動きを止めてしまい、２つのコインＣがコイン搬送路３に詰まってしまう問題が生じる。
【０００９】
本発明は、このような問題に対処することを課題の一例とするものである。すなわち、コイン選別装置において、コイン搬送路内のコインの詰まりを解除することが本発明の目的である。
【課題を解決するための手段】
【００１０】
このような目的を達成するために、本発明によるコイン選別装置は、以下の構成を具備するものである。
コイン投入口から下方に延びるコイン搬送路と、前記コイン搬送路から分岐したコイン選別流路と、前記コイン搬送路を落下するコインの径を検出して前記コイン選別流路へのコインの流れを切り替える選別流路切替部と、投入されたコインを間欠的に前記選別流路切替部に落下させる間欠落下レバーと、前記間欠落下レバーに詰まったコインに作用して前記間欠落下レバーの動きを回復させる詰まり解除機構部とを備えることを特徴とするコイン選別装置。
【発明の効果】
【００１１】
このような特徴を有するコイン選別装置は、コイン搬送路内のコインの詰まりを簡易且つ速やかに解除することができる。
【図面の簡単な説明】
【００１２】
【図１】コイン選別装置の基本構成を示した説明図である。
【図２】本発明の一実施形態に係るコイン選別装置を示した説明図である。
【図３】本発明の一実施形態に係るコイン選別装置の詰まり解除機構部の解除動作を示した説明図である。
【図４】本発明の一実施形態に係るコイン選別装置の詰まり解除機構部の解除動作を示した説明図である。
【図５】本発明の実施形態に係るコイン選別装置を備えた遊技機を示した説明図である。
【発明を実施するための形態】
【００１３】
以下、本発明の実施形態を説明する。図１において説明した部位と同一部位は、同一符号を付して一部重複説明を省略する。図２は本発明の一実施形態に係るコイン選別装置を示している。遊技機などに装備されるコイン選別装置１は、前述した基本構成を備えている。コイン投入口２からコイン搬送路３内に投入されるコインは、コイン搬送路３内を下方に落下し、二又に分岐したコイン選別流路４Ａ，４Ｂのいずれかに選択的に振り分けられることで適正なコインは機内に取り込まれ、不適正なコインは機外に排出される。
【００１４】
選別流路切替部５における選別検出器５Ａは、例えば、コイン搬送路３の一方の内面３ａに当接した状態で落下するコインの径（直径）を検出するものであり、選別流路切替部５の切替機構５Ｂは、一方のコイン選別流路４Ａ（４Ｂ）への流通を遮断して他方のコイン選別流路４Ｂ（４Ａ）への流れを許容する切替部材５Ｂ１を備えており、この切替部材５Ｂ１の方向を切り替えることで、コインが流れるコイン選別流路４Ａ，４Ｂを切り替えるものである。
【００１５】
選別流路切替部５の切替制御部５Ｃは、選別検出器５Ａが適正な径のコインを検出した場合には、機外へ流れるコイン選別流路４Ｂを遮断して機内へ流れるコイン選別流路４Ａへの流れを許容し、選別検出器５Ａが不適正な径のコインを検出した場合には、機内へ流れるコイン選別流路４Ａを遮断して機外へ流れるコイン選別流路４Ｂへの流れを許容するように、切替機構５Ｂを制御する。
【００１６】
間欠落下レバー６は、選別流路切替部５の上流側に配備され、コイン投入口から投入されたコインを一時的に受け止めることで、コインを間欠的に選別流路切替部５に送り込み、選別流路切替部５の誤動作を抑止するためのものである。コインが無い状態では、間欠落下レバー６はレバー復元バネ６ｂの付勢力によってコイン搬送路３内に進入しており、コインが投入されると上端接触部Ｐ１と下端接触部Ｐ２の間に設けられる凹状の受け部Ｐ３でコインを受け止める。受け部Ｐ３がコインを受け止めるとコインの自重でレバー復元バネ６ｂが弾性的に縮んで間欠落下レバー６がコイン搬送路３から徐々に待避し、コインをコイン搬送路３の内面３ａに当接させた状態で選別検出器５Ａに向けて落下させる。このような間欠落下レバー６を設けることで、選別検出器５Ａの検出精度を高めることができる。
【００１７】
間欠落下レバー６からコインが落下する際に、コインは間欠落下レバー６の下端接触部Ｐ２とコイン搬送路３の内面３ａに挟まれた状態で落下する。この際に次のコインが投入されると、正常な動作では、次のコインは上端接触部Ｐ１の上で止められ、前のコインの落下を待ってから間欠落下レバー６の受け部Ｐ３上に落下することになる。しかしながら、下端接触部Ｐ２を通過するコインの外周面に錆や汚れがある場合や、上端接触部Ｐ１上にある次のコインの径が正規なコインより小さい場合などの悪条件が加わると、図１に示すように、間欠落下レバー６の上端接触部Ｐ１とコイン搬送路３の内面３ａとの間、間欠落下レバー６の下端接触部Ｐ２とコイン搬送路３の内面３ａとの間のそれぞれにコインが挟まり、間欠落下レバー６の動きを止めてしまい、２つのコインがコイン搬送路３に詰まってしまう不具合が生じる。
【００１８】
コイン選別装置１における詰まり解除機構部７は、このような不具合が生じた場合のコインの詰まりを解除する機能を有するもので、間欠落下レバー６に挟まったコインに作用して間欠落下レバー６の動きを回復させる機能を有する。図２は、その具体的な構成の一例を示している。詰まり解除機構部７は、解除操作によってコイン搬送路３に形成された開口部７ａからコイン搬送路３内に突出して詰まったコインを押し上げる押上片７ｂを備えている。また、詰まり解除機構部７は、押上片７ｂを回動させる水平軸７ｃと、水平軸７ｃに装着されたピニオンギア７ｄと、ピニオンギア７ｄに螺合するラックギア７ｅと、ラックギア７ｅを往復動作させるボタン操作部７ｆを備えている。ボタン操作部７ｆはバネ７ｇの復元力を利用してラックギア７ｅを往復操作するものである。
【００１９】
図３及び図４は、コイン選別装置の詰まり解除機構部７の解除動作を示している（図２に示した部位と同一部位には同一符号を付している。）。押上片７ｂは、側面視半円状の部材であって、通常時は図３（ａ）に示すようにコイン搬送路３の外側に退避した状態で保持されており、水平軸７ｃを回動操作することでコイン搬送路３内に突出して、コイン搬送路３内で詰まったコインＣ（Ｃ２）を押し上げる。この押上片７ｂは、通常時コイン搬送路３の鉛直壁面に沿った状態で保持される作用面７ｈを有しており、この作用面７ｈを下から上に回転させてコイン搬送路３内に突出させることで、詰まったコインを押し上げる（図３（ｂ）参照）。
【００２０】
図３及び図４によって解除動作を順次説明する。図３（ａ）と図４（ａ）は、２個のコインＣ（Ｃ１，Ｃ２）がコイン搬送路３内で詰まった状態を示している。この状態では、コインＣ１が下端接触部Ｐ２と内面３ａとの間に挟まり、コインＣ２が上端接触部Ｐ１と内面３ａとの間に挟まることで、間欠落下レバー６がロックされた状態になっている。
【００２１】
この状態でボタン操作部７ｆを下方に押圧すると、ラックギア７ｅが下方に下がり、ピニオンギア７ｄを回転させて水平軸７ｃを回動させ、押上片７ｂの作用面７ｈをコイン搬送路３内に出現させて下から上に回転させ、コインＣ２を上方に押し上げる（図３（ｂ），図４（ｂ）参照）。開口部７ａと押上片７ｂは、このように間欠落下レバー６の上端接触部Ｐ１とコイン搬送路３の内面３ａとの間に挟まったコインＣ２を押し上げることができる位置に設置されている。
【００２２】
図３（ｂ）及び図４（ｂ）に示すようにコインＣ２が上方に押し上げられると、間欠落下レバー６のロックされた状態が解除されて動きが回復するので、下方のコインＣ１の自重で間欠落下レバー６の下端接触部Ｐ２が押し下げられて、下方のコインＣ１が先ず選別流路切替部５に向けて落下する。
【００２３】
その後、ボタン操作部７ｆをバネ７ｇの復元力で元の状態に戻すと、押上片７ｂの作用面７ｈがコイン搬送路３から退くので押上片７ｂによって押し上げられていたコインＣ２も落下する（図３（ｃ）参照）。この際、下方のコインＣ１が落下することで、間欠落下レバー６の受け部Ｐ３がレバー復元バネ６ｂの復元力でコイン搬送路３内に進入することになるので、落下したコインＣ２を受け部Ｐ３が一時的に受け止めてコインＣ２の連続落下を抑止する（図４（ｃ）参照）。その後、コインＣ２の自重がレバー復元バネ６ｂの付勢力に打ち勝って間欠落下レバー６を退けると、コインＣ２も選別流路切替部５に向けて落下する（図４（ｄ）参照）。
【００２４】
本発明の実施形態に係るコイン選別装置１は、このような詰まり解除機構部７を備えることで、間欠落下レバー６によって精度の高いコインの選別を行うことができるものにおいて、発生するコインの詰まりを簡易な操作によって解除することができる。
【００２５】
図５は、本発明の実施形態に係るコイン選別装置を備えた遊技機を示している。この遊技機１００は、例えば、スロットルマシンのようにコインを投入することで遊戯動作を行うことができるものである。このような遊技機１００は、前述したコイン選別装置１を備えることで、精度の高いコイン選別を行うことができると共に、コインがコイン搬送路３内で詰まった場合にも簡易な解除操作で速やかに詰まりを解除し、引き続き遊戯を進行させることができる。これによって快適な遊戯性を有する遊技機１００を得ることができる。
【００２６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２７】
１：コイン選別装置，２：コイン投入口，３：コイン搬送路，３ａ：内面，
４Ａ，４Ｂ：コイン選別流路，５：選別流路切替部，５Ａ：選別検出器，
５Ｂ：切替機構，５Ｂ１：切替部材，５Ｃ：切替制御部，
６：間欠落下レバー，６ａ：回転軸，６ｂ：レバー復元バネ，
７：詰まり解除機構部，７ａ：開口部，７ｂ：押上片，７ｃ：水平軸，
７ｄ：ピニオンギア，７ｅ：ラックギア，７ｆ：ボタン操作部，７ｇ：バネ，
７ｈ：作用面，Ｐ１：上端接触部，Ｐ２：下端接触部，Ｐ３：受け部，
Ｃ（Ｃ１，Ｃ２）：コイン，１００：遊技機
【図１】
2015164002.tif 000003
【図２】
2015164002.tif 000004
【図３】
2015164002.tif 000005
【図４】
2015164002.tif 000006
【図５】
2015164002.tif 000007